(57)【特許請求の範囲】
【請求項１】
ヒンジ部を介して開閉可能な上部筐体及び下部筐体と、
前記上部筐体に内蔵される上部アンテナ素子及び前記下部筐体に内蔵される下部アンテナ素子と、
一端が前記上部アンテナ素子に電気的に接続され、他端が前記下部アンテナ素子に電気的に接続される給電部と、
前記上部筐体に設けられ、前記上部アンテナ素子と電気的に接続される上部金具と、
前記下部筐体に設けられ、前記下部アンテナ素子と電気的に接続される下部金具とを備え、
前記上部アンテナ素子及び前記下部アンテナ素子は、それぞれ矩形状の平板に形成され、前記上部筐体と前記下部筐体とが閉じた状態において互いに所定の間隔をもって対向する位置に配置され、
前記上部金具及び前記下部金具は、前記上部筐体と前記下部筐体とが閉じた状態において互いに対向する位置にある前記上部アンテナ素子及び前記下部アンテナ素子の隣り合う２つの角部にそれぞれ接続され、
前記給電部は、前記一端及び前記他端が、前記上部アンテナ素子及び前記下部アンテナ素子のうち前記隣り合う２つの角部と反対側の角部に接続され、かつ、
前記上部金具及び前記下部金具は、前記隣り合う２つの角部に挟まれる辺上に、かつ前記上部アンテナ素子及び前記下部アンテナ素子のそれぞれ側面部側に、前記上部筐体と前記下部筐体を折り畳んだときに互いに接触する位置に設けられて、
前記上部筐体と前記下部筐体とが開いた状態において、前記上部アンテナ素子及び前記下部アンテナ素子がダイポールアンテナとして動作するとともに、前記上部筐体と前記下部筐体とが閉じた状態において、前記上部金具と前記下部金具が電気的に接触して前記上部アンテナ素子及び前記下部アンテナ素子がパッチアンテナとして動作するように構成されることを特徴とする携帯端末。
【請求項２】
前記給電部は、前記一端及び前記他端が、前記上部筐体と前記下部筐体とが閉じた状態において互いに対向する位置にある前記上部アンテナ素子及び前記下部アンテナ素子の基端部側のいずれか一方の角部にそれぞれ接続され、
前記上部金具及び前記下部金具は、前記上部アンテナ素子及び前記下部アンテナ素子の先端部側に位置する２つの角部にそれぞれ接続されることを特徴とする請求項１に記載の携帯端末。
【請求項３】
前記給電部は、前記一端及び前記他端が、前記上部筐体と前記下部筐体とが閉じた状態において互いに対向する位置にある前記上部アンテナ素子及び前記下部アンテナ素子の側面部側のいずれか一方の角部にそれぞれ接続され、
前記上部金具及び前記下部金具は、前記上部アンテナ素子及び前記下部アンテナ素子の前記給電部の一端及び他端が接続された側面部側とは反対に位置する２つの角部にそれぞれ接続されることを特徴とする請求項１に記載の携帯端末。
【請求項４】
前記上部アンテナ素子及び前記下部アンテナ素子は、それぞれ多層基板の一層として形成されたグラウンド層であることを特徴とする請求項１乃至請求項３のいずれかに記載の携帯端末。
【発明の詳細な説明】
【技術分野】
【０００１】
本発明は、折り畳み式の携帯端末に関し、特にその筐体に内蔵されるアンテナの構造に関する。
【背景技術】
【０００２】
これまでに、携帯端末である携帯無線機として多種多様な携帯電話機が提供されている。これらの携帯電話機の一つとして、ディスプレイを大型化することが可能な折り畳み式の携帯電話機がある。
【０００３】
一方、近年、携帯電話機は、ますます小型化が進むとともに高機能化してきており、カメラの搭載やＧＰＳ（Ｇｌｏｂａｌ  Ｐｏｓｉｔｉｏｎｉｎｇ  Ｓｙｓｔｅｍ）やＢｌｕｅｔｏｏｔｈ（登録商標）など実装には大きな容積を必要とするため、内蔵アンテナを配置するスペースがなくなってしまい、放射素子を小型化せざるを得ず、特性劣化してしまう問題がある。
【０００４】
そこで考えられたのが、図９に示すように、上部筐体１００に内蔵される上部多層基板１０１のグラウンド層と下部筐体１０２に内蔵される下部多層基板１０３のグラウンド層をダイポールアンテナの放射素子として動作させるものである。ここで、給電線路１０４は、その一端が上部多層基板１０１のグラウンド層に接続され、他端が下部多層基板１０３のグラウンド層に接続されており、これらを高周波的に接続する。この携帯電話を展開した状態においては、図１０中に矢印で示すような電流分布になるため、上部多層基板１０１のグラウンド層と下部多層基板１０３のグラウンド層がダイポールアンテナとして動作する（例えば特許文献１参照）。
【特許文献１】特開２００４−０５６４２６号公報
【発明の開示】
【発明が解決しようとする課題】
【０００５】
しかしながら、図１１に示すように、この携帯電話機を折り畳んだ状態にすると、図１２中に矢印で示すような電流分布となるため、上部多層基板１０１のグラウンド層に流れる電流の位相が下部多層基板１０３のグラウンド層に流れる電流の位相に対して逆相となり、互いに相殺される結果、アンテナとしての放射はほとんど期待できない。
【課題を解決するための手段】
【０００６】
本発明によれば、ヒンジ部を介して開閉可能な上部筐体及び下部筐体と、上記上部筐体に内蔵される上部アンテナ素子及び上記下部筐体に内蔵される下部アンテナ素子と、一端が上記上部アンテナ素子に電気的に接続され、他端が上記下部アンテナ素子に電気的に接続される給電部と、上記上部筐体に設けられ、上記上部アンテナ素子と電気的に接続される上部金具と、上記下部筐体に設けられ、上記下部アンテナ素子と電気的に接続される下部金具とを備え、前記上部アンテナ素子及び前記下部アンテナ素子は、それぞれ矩形状の平板に形成され、前記上部筐体と前記下部筐体とが閉じた状態において互いに所定の間隔をもって対向する位置に配置され、前記上部金具及び前記下部金具は、前記上部筐体と前記下部筐体とが閉じた状態において互いに対向する位置にある前記上部アンテナ素子及び前記下部アンテナ素子の隣り合う２つの角部にそれぞれ接続され、前記給電部は、前記一端及び前記他端が、前記上部アンテナ素子及び前記下部アンテナ素子のうち前記隣り合う２つの角部と反対側の角部に接続され、かつ、前記上部金具及び前記下部金具は、前記隣り合う２つの角部に挟まれる辺上に、かつ前記上部アンテナ素子及び前記下部アンテナ素子のそれぞれ側面部側に、前記上部筐体と前記下部筐体を折り畳んだときに互いに接触する位置に設けられて、上記上部筐体と上記下部筐体とが開いた状態において、上記上部アンテナ素子及び上記下部アンテナ素子がダイポールアンテナとして動作するとともに、上記上部筐体と上記下部筐体とが閉じた状態において、上記上部金具と上記下部金具が電気的に接触して上記上部アンテナ素子及び上記下部アンテナ素子がパッチアンテナとして動作するように構成されることを特徴とする携帯端末が提供される。
【０００７】
この構成によれば、上部筐体と下部筐体とが開いた状態においては、それぞれに内蔵される上部アンテナ素子及び下部アンテナ素子がダイポールアンテナとして動作するとともに、上部筐体と下部筐体とが閉じた状態においては、上部アンテナ素子に電気的に接続された上部金具と下部アンテナ素子に電気的に接続された下部金具とが電気的に接触することで上部アンテナ素子及び下部アンテナ素子がパッチアンテナとして動作するので、いずれの状態においても良好なアンテナ特性を得ることができる。
【０００９】
この構成によれば、上部筐体と下部筐体が閉じた状態において、給電部により上部アンテナ素子及び下部アンテナ素子に給電を行った場合に、上部アンテナ素子と下部アンテナ素子の側面部間において、上部金具と下部金具が接続された２つの角部間では磁流が発生せず、当該２つの角部と対向する２つの角部間では発生した磁流が打ち消されることがないので、パッチアンテナとして良好なアンテナ特性を得ることができる。
【００１０】
また、本発明に係る携帯端末において、上記給電部は、上記一端及び上記他端が、上記上部筐体と上記下部筐体とが閉じた状態において互いに対向する位置にある上記上部アンテナ素子及び上記下部アンテナ素子の基端部側のいずれか一方の角部にそれぞれ接続され、上記上部金具及び上記下部金具は、上記上部アンテナ素子及び上記下部アンテナ素子の先端部側に位置する２つの角部にそれぞれ接続される構成とすることができる。
【００１１】
この構成によれば、上部筐体と下部筐体とが閉じた状態において、上部アンテナ素子の両側面部と下部アンテナ素子の両側面部の間に生じる磁流に関しては互いに打ち消し合うことになるが、上部金具と下部金具が電気的に接続される上部アンテナ素子の先端部と下部アンテナ素子の先端部の間では磁流が発生せず、これと対向する位置にある上部アンテナ素子の基端部と下部アンテナ素子の基端部の間に生じる磁流は打ち消されることがないので、パッチアンテナとして良好なアンテナ特性を得ることができる。
【００１２】
また、本発明に係る携帯端末において、上記給電部は、上記一端及び上記他端が、上記上部筐体と上記下部筐体とが閉じた状態において互いに対向する位置にある上記上部アンテナ素子及び上記下部アンテナ素子の側面部側のいずれか一方の角部にそれぞれ接続され、上記上部金具及び上記下部金具は、上記上部アンテナ素子及び上記下部アンテナ素子の上記給電部の一端及び他端が接続された側面部側とは反対に位置する２つの角部にそれぞれ接続される構成とすることができる。
【００１３】
この構成によれば、上部筐体と下部筐体とが閉じた状態において、上部アンテナ素子の先端部と下部アンテナ素子の先端部の間に生じる磁流は、上部アンテナ素子の基端部と下部アンテナ素子の基端部の間に生じる磁流と互いに打ち消し合うことになるが、上部金具と下部金具が電気的に接続される上部アンテナ素子の側面部と下部アンテナ素子の側面部の間では磁流が発生せず、これと対向する位置にある上部アンテナ素子の側面部と下部アンテナ素子の側面部の間に生じる磁流は打ち消されることがないので、パッチアンテナとして良好なアンテナ特性を得ることができる。
【００１４】
また、本発明に係る携帯端末において、上記上部アンテナ素子及び上記下部アンテナ素子は、それぞれ多層基板の一層として形成されたグラウンド層として構成とすることができる。
【００１５】
この構成によれば、多層基板が内蔵される僅かなスペースに大型の放射素子を有するアンテナを設置することができる。
【発明の効果】
【００１６】
本発明によれば、上部筐体と下部筐体とが開いた状態においては、それぞれに内蔵される上部アンテナ素子及び下部アンテナ素子がダイポールアンテナとして動作するとともに、上部筐体と下部筐体とが閉じた状態においては、上部アンテナ素子に電気的に接続された上部金具と下部アンテナ素子に電気的に接続された下部金具とが接触することで上部アンテナ素子及び下部アンテナ素子がパッチアンテナとして動作するので、いずれの状態においても良好なアンテナ特性を得ることができる。
【発明を実施するための最良の形態】
【００１７】
以下、本発明の実施の形態について、図面を用いて説明する。尚、すべての図面において、同様な構成要素には同様の符号を付し、適宜説明を省略する。
［第１の実施の形態］
【００１８】
図１は、本実施の形態に係る携帯電話機の斜視図である。本実施の形態に係る携帯電話機は、折り畳み式の携帯電話機として構成されており、図１は、その展開した状態（上部筐体及び下部筐体が開いた状態）における斜視図であり、図２は、その折り畳まれた状態（上部筐体と下部筐体が閉じた状態）における斜視図である。
【００１９】
図１に示すように、当該折り畳み式携帯電話機は、ディスプレイ２０が装着されている第一の筐体としての上部筐体１１と、複数のデータ入力用ボタンまたはキーを含むキー操作部１９が装着されている第二の筐体としての下部筐体２と、上部筐体１１と下部筐体２とを相互に回転自在に結合しているヒンジ部３とを備えている。
【００２０】
上部筐体１１は、ディスプレイ２０が装着されている側に位置する上部筐体前面部１６と、ディスプレイ２０とは反対側に位置する上部筐体背面部８とを相互に結合することにより構成されている。
【００２１】
上部筐体前面部１６と上部筐体背面部８とにより形成される容器の内部に、レシーバ２１及び第一の基板としての上部筐体回路基板１７、ディスプレイ２０、上部筐体回路部１０が、それぞれ装填されている。
【００２２】
上部筐体１１と同様に、下部筐体２は、キー操作部１９が装着されている側に位置する下部筐体前面部４と、キー操作部１９とは反対側に位置する下部筐体背面部６とを相互に結合することにより構成されている。下部筐体前面部４は、プラスチックをモールド成形して構成されているものとする。
【００２３】
下部筐体前面部４と下部筐体背面部６とにより形成される容器の内部に、マイク２２、外部インターフェイス２３、第二の基板としての下部筐体回路基板１８、下部筐体回路部９、電池７がそれぞれ装填されている。
【００２４】
さらに、上部筐体回路部１０と下部筐体回路部９は、上下回路部接続部１４にて接続されており、上下回路部接続部１４は、上部筐体回路部１０と下部筐体回路部９の間で電気信号の通信経路として使用されている。なお、上部筐体回路部１０と下部筐体回路部９は、それぞれ電池７から電力の供給を受ける。
【００２５】
上部筐体回路基板１７及び下部筐体回路基板１８は、複数の層が積層された多層基板で構成されており、その中の１層以上に、全てが金属面となるグラウンド層が含まれている。このグラウンド層が上部筐体回路部１０及び下部筐体回路部９のグラウンドとして使用されている。このような構成とすることで、僅かなスペースに大型の放射素子を有するアンテナを内蔵することができる。
【００２６】
上部筐体金属金具１２は、上部筐体回路基板１７の先端部側（ヒンジ部３とは反対側に位置する端部側）にある２つの角部にて上部筐体回路基板１７のグラウンド層と接続されており、一般的な樹脂材料で構成されている上部筐体前面部１６の一部となっている。
【００２７】
下部筐体金属金具１３は、下部筐体回路基板１８の先端部側にある２つの角部にて下部筐体回路基板１８のグラウンド層と接続されており、一般的な樹脂材料で構成されている下部筐体前面部４の一部となっている。
【００２８】
また、上部筐体１１と下部筐体２を閉じたときに上部筐体金属金具１２と下部筐体金属金具１３は互いに対向する位置に設けられており、このとき互いが接触することで、直流的に接続される。これにより、上部筐体回路基板１７のグラウンド層と下部筐体回路基板１８のグラウンド層は、その先端部にて上部筐体金属金具１２及び下部筐体金属金具１３を介して直流的に接続されることになる。
【００２９】
アンテナ用給電線路１５は、その一端が上部筐体回路基板１７の基端部側（ヒンジ部３とは反対側に位置する端部側）にあるいずれか一方の角部にて上部筐体回路基板１７のグラウンド層と接続され、他端が下部筐体回路基板１８の基端部側にある一方の角部であって、かつ、上部筐体１１と下部筐体２を閉じたときに、上記一端が接続された上部筐体回路基板１７の角部と対向する位置にある角部にて下部筐体回路基板１８のグラウンド層と接続されており、これらに高周波電流を供給する。
【００３０】
図３は上部筐体回路基板１７、下部筐体回路基板１８及び上下回路部接続部１４の各長さの関係を示す概略図であり、図４は上下回路部接続部１４の拡大図である。この上下回路接続部１４はフレキシブルワイヤからなっている。図４に示すように、上下回路部接続部１４をなすフレキシブルワイヤはヒンジ部３の周囲に一回巻かれた状態で配置されており、このフレキシブルワイヤを平面状に伸ばしたときの長さはＬｓである。また、長さＬ１の上部筐体回路基板１７と長さＬ２の下部筐体回路基板１８とは距離Ｇだけ離れている。
【００３１】
図３に示すように、フレキシブルワイヤの長さＬｓは、上部筐体回路基板１７と下部筐体回路基板１８との間の距離Ｇよりも長くなるように設定されている（Ｌｓ＞Ｇ）。ここで、フレキシブルワイヤの長さＬｓは、下部筐体２内をヒンジ部３に向かって流れる電流が、上部筐体１１内に流れないようなインダクタンス成分を持つような長さに設定されているものとする。
【００３２】
次に、この携帯電話機の動作について説明する。当該携帯電話機の内蔵アンテナは、上部筐体１１と下部筐体２が開いた状態においては、上部筐体回路基板１７のグラウンド層と下部筐体回路基板１８のグラウンド層に対してアンテナ用給電線路１５を介して高周波電流を供給することにより、上部筐体回路基板１７のグラウンド層と下部筐体回路基板１８のグラウンド層とを放射素子として構成されるようになっている。これらは半波長ダイポールアンテナの一対の放射素子として動作するため、ダイポールアンテナと同じ特性が得られることになる。
【００３３】
なお、上下回路部接続部１４の長さLｓは、上部筐体回路基板１７と下部筐体回路基板１８の間の距離Ｇよりも長くなるように設定されている（Ｌｓ＞Ｇ）。ここで、上下回路部接続部１４の長さＬｓは、上下回路部接続部１４を介して下部筐体回路基板１８のグラウンド層から上部筐体回路基板１７のグラウンド層に流れる高周波電流を流れさせないようなインダクタンス成分を持つような長さに設定されている。そのため、上下回路部接続部１４を介して下部筐体回路基板１８から上部筐体回路基板１７へ流れる高周波電流は小さくなる。
【００３４】
一方、上部筐体１１と下部筐体２が閉じた状態においては、上部筐体金属金具１２と下部金属金具１３が直流的に接続される。また、上部筐体１１と下部筐体２が開いた状態のときと同様に、上下回路部接続部１４の長さＬｓは、上下回路部接続部１４を介して下部筐体回路基板１８のグラウンド層から上部筐体回路基板１７のグラウンド層に流れる高周波電流が流れないようなインダクタンス成分を持つような長さに設定されているため、上下回路部接続部１４を介して下部筐体回路基板１８から上部筐体回路基板１７へ流れる高周波電流は小さくなる。
【００３５】
図５に、上部筐体１１と下部筐体２が閉じた状態のアンテナの動作原理を示す。アンテナ用給電線路１５を介して上部筐体回路基板１７のグラウンド層と下部筐体回路基板１８のグラウンド層に対して高周波電流を供給すると、それらの側面部間を周回するように、かつ、互いに対向する各辺間においては互いに打ち消す方向に磁流が発生するが、この際、上部筐体金属金具１２と下部筐体金属金具１３が直流的に接続されることで、実際には、図５中に矢印実線で示す方向に磁流が発生する。この磁流がアンテナの放射特性に関係するが、基板端部にて上部筐体回路基板１７のグラウンド層と下部筐体回路基板１８のグラウンド層を接続することにより、磁流Ｂと磁流Ｃは互いに打ち消す方向に発生するものの、磁流Ａを打ち消すような磁流は発生しないため、良好な放射特性を得ることができる。従って、折り畳み時に本アンテナは一般的なパッチアンテナで動作する。
【００３６】
このように、本実施の形態に係る携帯電話機によれば、上部筐体１１に内蔵される上部筐体回路基板１７のグラウンド層と下部筐体２に内蔵される下部筐体回路基板１８のグラウンド層を放射素子して、上部筐体１１と下部筐体２を開いた状態においては、これらをダイポールアンテナとして動作させるとともに、上部筐体１１と下部筐体２を折り畳んだ状態においては、これらをパッチアンテナとして動作させることができるので、いずれの状態においても良好なアンテナ特性を得ることができる。
【００３７】
なお、上部筐体回路基板１７のグラウンド層と下部筐体回路基板１８のグラウンド層の形状は略矩形であればよく、例えば角部が丸まった正方形や長方形などであってもよい。さらに、上部筐体回路基板１７のグラウンド層と下部筐体回路基板１８のグラウンド層の形状は、その中心に対して点対称となる多角形の形状であればよい。このような形状であれば、少なくとも上部筐体回路基板１７のグラウンド層の側面部と下部筐体回路基板１８のグラウンド層の側面部間において、上部筐体金属金具１２と下部筐体金属金具１３が接続された２つの頂点間では磁流は発生せず、当該２つの頂点と対向する２つの頂点間では発生した磁流が打ち消されないように構成することができる。
［第２の実施の形態］
【００３８】
図６は、本実施の形態に係る携帯電話機の斜視図である。本実施の形態に係る携帯電話機は、折り畳み式の携帯電話機として構成されており、図６は、その展開した状態における斜視図であり、図７は、その折り畳まれた状態における斜視図である。図６及び図７に示すように、この携帯電話機の基本構成は、図１及び図２に示した携帯電話機と同様であるが、上部金属金具及び下部金属金具がそれぞれ上部筐体及び下部筐体の側面部に設けられた構成となっている。
【００３９】
上部筐体金属金具４２は、上部筐体回路基板４７の側面部側にある２つの角部にて上部筐体回路基板４７のグラウンド層と接続されており、一般的な樹脂材料で構成されている上部筐体４１の側面部の一部となっている。
【００４０】
一方、下部筐体金属金具４３は、下部筐体回路基板４８の側面部側にある２つの角部にて下部筐体回路基板４８のグラウンド層と接続されており、一般的な樹脂材料で構成されている下部筐体３２の側面部の一部となっている。
【００４１】
上部筐体金属金具４２と下部筐体金属金具４３は、上部筐体４１と下部筐体３２を折り畳んだときに互いに接触する位置に設けられており、直流的に接続される。これにより、上部筐体回路基板４７のグラウンド層と下部筐体回路基板４８のグラウンド層は、その側面部にて上部筐体金属金具４２及び下部筐体金属金具４３を介して直流的に接続されることになる。
【００４２】
また、アンテナ用給電線路４５は、その一端が上部筐体回路基板４７の、上部筐体金属金具４２が設けられた側面部とは反対側にある２つの角部にて上部筐体回路基板４７のグラウンド層と接続され、その他端が下部筐体回路基板４８の、下部筐体金属金具４３が設けられた側面部とは反対側にある２つの角部であって、かつ、上部筐体４１と下部筐体３２を閉じたときに、上記一端が接続された上部筐体回路基板４７の角部と対向する位置にある角部にて下部筐体回路基板４８のグラウンド層と接続されており、これらに高周波電流を供給する。
【００４３】
次に、この携帯電話機の動作について説明する。図６に示すように、当該携帯電話機の内蔵アンテナは、上部筐体４１と下部筐体３２が開いた状態においては、上部筐体回路基板４７のグラウンド層と下部筐体回路基板４８のグラウンド層に高周波電流を供給することにより、上部筐体回路基板４７のグラウンド層と下部筐体回路基板４８のグラウンド層とを放射素子として構成されるようになっている。これらは半波長ダイポールアンテナの一対の放射素子として動作するため、ダイポールアンテナと同じ特性が得られることになる。この点については、第１の実施の形態に係る携帯電話機と同様である。
【００４４】
一方、図７に示すように、上部筐体４１と下部筐体３２が閉じた状態では、アンテナ用給電線路４５を介して上部筐体回路基板４７のグラウンド層と下部筐体回路基板４８のグラウンド層に対して高周波電流を供給すると、それらの側面部間を周回するように、かつ、互いに対向する各辺間においては互いに打ち消す方向に磁流が発生するが、この際、上部筐体金属金具４２と下部筐体金属金具４３が直流的に接続されることで、実際には、図８中に矢印実線で示す方向に磁流が発生する。この磁流がアンテナの放射特性に関係するが、基板端部にて上部筐体回路基板４７と下部筐体回路基板４８を接続することにより、磁流Ａと磁流Ｃは互いに打ち消す方向に発生するものの、磁流Ｂを打ち消すような磁流は発生しないため、良好な放射特性を得ることができる。従って、折り畳み時に本アンテナは一般的なパッチアンテナとして動作する。
【００４５】
このように、本実施の形態に係る携帯電話機によっても、上部筐体４１に内蔵される上部筐体回路基板４７のグラウンド層と下部筐体３２に内蔵される下部筐体回路基板４８のグラウンド層を放射素子して、上部筐体４１と下部筐体３２を開いた状態においては、これらをダイポールアンテナとして動作させるとともに、上部筐体４１と下部筐体３２を折り畳んだ状態においては、これらをパッチアンテナとして動作させることができるので、いずれの状態においても良好なアンテナ特性を得ることができる。
【００４６】
また、本実施の形態においても、上部筐体回路基板４７のグラウンド層と下部筐体回路基板４８のグラウンド層の形状は、その中心に対して点対称となる多角形の形状であればよいことは明らかである。
【００４７】
なお、以上２つの実施の形態では、上部筐体に内蔵される上部筐体回路基板のグラウンド層と下部筐体に内蔵される下部筐体回路基板のグラウンド層をダイポールアンテナの一対の放射素子として機能するように説明しているが、上部筐体回路基板上には上部筐体回路部が形成されており、下部筐体回路基板上には下部筐体回路部が形成されているので、例えば上部筐体回路部や下部筐体回路部が樹脂材によってパッケージされておらず、表面が金属面であれば、上部筐体金属金具を上部筐体回路部に接続し、下部筐体金属金具を下部筐体回路部に接続した構成としても、等価的には、上部筐体回路基板と下部筐体回路基板が上述したダイポールアンテナやパッチアンテナの放射素子として機能すると言える。
【００４８】
以上、図面を参照して本発明の実施の形態について述べたが、これらは本発明の例示であり、上記以外の様々な構成を採用することもできる。たとえば、上記実施の形態では、携帯電話機について説明したが、筐体全体が２つの筐体からなり、各筐体に回路部が内蔵された構造の携帯型の端末装置に適用できることは明白である。
【図面の簡単な説明】
【００４９】
【図１】本発明の第１の実施の形態に係る携帯電話機の展開した状態における透視斜視図である。
【図２】図１に示す携帯電話機の折り畳まれた状態における透視斜視図である。
【図３】図１に示す携帯電話機における上部筐体回路基板と下部筐体回路基板と上下回路部接続部との長さの関係を示す概略図である。
【図４】図３に示した上下回路接続部の拡大図である。
【図５】図１に示す携帯電話機の折り畳まれた状態における磁流の流れを模式的に示した斜視図である。
【図６】本発明の第２の実施の形態に係る携帯電話機の展開した状態における透視斜視図である。
【図７】図６に示す携帯電話機の折り畳まれた状態における透視斜視図である。
【図８】図６に示す携帯電話機の折り畳まれた状態における磁流の流れを模式的に示した斜視図である。
【図９】従来の携帯電話機の展開した状態における透視斜視図である。
【図１０】図９に示す携帯電話機の展開した状態における磁流の流れを模式的に示した斜視図である。
【図１１】図９に示す携帯電話機の折り畳まれた状態における透視斜視図である。
【図１２】図９に示す携帯電話機の折り畳まれた状態における磁流の流れを模式的に示した斜視図である。
【符号の説明】
【００５０】
１２  上部筐体金属金具
１３  下部筐体金属金具
１５  アンテナ用給電線路
１７  上部筐体回路基板
１８  下部筐体回路基板
【図１】
0004696887.tif 000002
【図２】
0004696887.tif 000003
【図３】
0004696887.tif 000004
【図４】
0004696887.tif 000005
【図５】
0004696887.tif 000006
【図６】
0004696887.tif 000007
【図７】
0004696887.tif 000008
【図８】
0004696887.tif 000009
【図９】
0004696887.tif 000010
【図１０】
0004696887.tif 000011
【図１１】
0004696887.tif 000012
【図１２】
0004696887.tif 000013